【手続補正書】
【提出日】平成15年10月29日(2003.10.29)
【手続補正１】
【補正対象書類名】特許請求の範囲
【補正対象項目名】全文
【補正方法】変更
【補正の内容】
【特許請求の範囲】
【請求項１】
ｋビットの伝送形式組合表示(ＴＦＣＩ)ビットと10-ｋビットの伝送形式組合表示ビットを符号化する符号器を含む移動通信システムで専用チャンネルのための伝送形式組合表示ビットと順方向共有チャンネルのための伝送形式組合表示ビットを符号化する方法において、
前記入力するｋビットに対して３２ビットに符号化して第１符号化ビットを発生し、ｋ値に対応して特定したマスクパターンにより第１符号化ビットを穿孔して３ｋ＋１ビットを出力する過程と、
前記入力される１０-ｋビットに対して３２ビットに符号化される第２符号化ビットを発生し、前記１０-ｋ値に対応して特定したマスクパターンにより前記第２符号化ビットを穿孔して３(１０-ｋ)＋1ビットを出力する過程とを含むことを特徴とする方法。
【請求項２】
前記ｋ値は１〜１０である請求項１記載の方法。
【請求項３】
前記ｋ値または前記１０-ｋ値が１であれば、前記穿孔のための特定したマスクパターンは１、３、５、７、８、９、１０、１１、１２、１３、１４、１５、１６、１７、１８、１９、２０、２１、２２、２３、２４、２５、２６、２７、２８、２９、３０、３１である請求項１記載の方法。
【請求項４】
前記ｋ値または前記１０-ｋ値が９であれば、前記穿孔のための特定したマスクパターンは６、１０、１１、３０である請求項１記載の方法。
【請求項５】
前記ｋ値及び前記１０-ｋ値が２であれば、前記穿孔のための特定したマスクパターンは３、７、９、１０、１１、１２、１３、１４、１５、１６、１７、１８、１９、２０、２１、２２、２３、２４、２５、２６、２７、２８、２９、３０、３１である請求項１記載の方法。 
【請求項６】
前記ｋ値または前記１０-ｋ値が８であれば、前記穿孔のための特定したマスクパターンは４、１１、１４、１５、２０、２１、２２である請求項１記載の方法。
【請求項７】
前記ｋ値または前記１０-ｋ値が３であれば、前記穿孔のための特定したマスクパターンは７、１０、１２、１３、１４、１５、１６、１７、１８、１９、２０、２１、２２、２３、２４、２５、２６、２７、２８、２９、３０、３１である請求項１記載の方法。
【請求項８】
前記ｋ値または前記１０-ｋ値が７であれば、前記穿孔のための特定したマスクパターンは８、１２、１６、１８、１９、２３、２６、２７、３０、３１である請求項１記載の方法。
【請求項９】
前記ｋ値または前記１０-ｋ値が４であれば、前記穿孔のための特定したマスクパターンは０、１、２、１６、１７、１８、１９、２０、２１、２２、２３、２４、２５、２６、２７、２８、２９、３０、３１である請求項１記載の方法。
【請求項１０】
前記ｋ値または前記１０-ｋ値が６であれば、前記穿孔のための特定したマスクパターンは６、１０、１１、１３、１４、１６、１７、１９、２０、２２、２４、２６、３１である請求項１記載の方法。
【請求項１１】
移動通信システムでｋビットと１０-ｋビットに分離入力される２つの伝送形式組合表示(ＴＦＣＩ)ビットを符号化する装置において、
前記入力するｋビットに対して３２ビットに符号化して第１符号化ビットを発生し、前記第１符号化ビットを前記ｋ値に対応して特定したマスクパターンにより穿孔して３ｋ＋１ビット列を出力する第１符号器と、
前記入力する１０-ｋビットに対して３２ビットに符号化して第２符号化ビットを発生し、前記第２符号化ビットを前記１０-ｋ値に対応して特定したマスクパターンにより穿孔して３(１０-ｋ)＋１ビット列を出力する第２符号器とを含むことを特徴とする装置。
【請求項１２】
前記ｋ値は１〜１０である請求項１１記載の装置。
【請求項１３】
前記ｋ値または前記１０-ｋ値が１であれば、前記穿孔のための特定したマスクパターンは１、３、５、７、８、９、１０、１１、１２、１３、１４、１５、１６、１７、１８、１９、２０、２１、２２、２３、２４、２５、２６、２７、２８、２９、３０、３１である請求項１１記載の装置。
【請求項１４】
前記ｋ値及び前記１０-ｋ値が９であれば、前記穿孔のための特定したマスクパターンは６、１０、１１、３０である請求項１３記載の装置。
【請求項１５】
前記ｋ値及び前記１０-ｋ値が２であれば、前記穿孔のための特定したマスクパターンは３、７、９、１０、１１、１２、１３、１４、１５、１６、１７、１８、１９、２０、２１、２２、２３、２４、２５、２６、２７、２８、２９、３０、３１である請求項１２記載の装置。 
【請求項１６】
前記ｋ値及び前記１０-ｋ値が８であれば、前記穿孔のための特定したマスクパターンは４、１１、１４、１５、２０、２１、２２である請求項１５記載の装置。
【請求項１７】
前記ｋ値及び前記１０-ｋ値が３であれば、前記穿孔のための特定したマスクパターンは７、１０、１２、１３、１４、１５、１６、１７、１８、１９、２０、２１、２２、２３、２４、２５、２６、２７、２８、２９、３０、３１である請求項１２記載の装置。
【請求項１８】
前記ｋ値及び前記１０-ｋ値が７であれば、前記穿孔のための特定したマスクパターンは８、１２、１６、１８、１９、２３、２６、２７、３０、３１である請求項１７記載の装置。
【請求項１９】
前記ｋ値及び前記１０-ｋ値が４であれば、前記穿孔のための特定したマスクパターンは０、１、２、１６、１７、１８、１９、２０、２１、２２、２３、２４、２５、２６、２７、２８、２９、３０、３１である請求項１２記載の装置。
【請求項２０】
前記ｋ値及び前記１０-ｋ値が６であれば、前記穿孔のための特定したマスクパターンは６、１０、１１、１３、１４、１６、１７、１９、２０、２２、２４、２６、３１である請求項１９記載の装置。
【請求項２１】
ｋビットの伝送形式組合表示(ＴＦＣＩ)ビットと１０-ｋビットの伝送形式組合表示ビットを符号化する符号器を含む移動通信システムで専用チャンネルのための伝送形式組合表示ビットと順方向共有チャンネルのための伝送形式組合表示ビットを符号化する方法において、
前記入力するｋビットに対して３２ビットに符号化して第１符号化ビットを発生し、前記ｋ値に対応して特定したマスクパターンにより前記第１符号化ビットを穿孔して３ｋビットを出力する過程と、
前記入力する１０-ｋビットに対して３２ビットに符号化した第２符号化ビットを発生し、前記１０-ｋ値に対応して特定したマスクパターンにより前記第２符号化ビットを穿孔して３(１０-ｋ)＋２ビットを出力する過程とを含むことを特徴とする方法。
【請求項２２】
前記ｋ値は１〜１０である請求項２１記載の方法。
【請求項２３】
前記ｋ値が１であれば、前記穿孔のための特定したマスクパターンは１、３、６、５、７、８、９、１０、１１、１２、１３、１４、１５、１６、１７、１８、１９、２０、２１、２２、２３、２４、２５、２６、２７、２８、２９、３０、３１である請求項２２記載の方法。
【請求項２４】
前記１０-ｋ値が９であれば、前記穿孔のための特定したマスクパターンは６、１０、１１、３０である請求項２３記載の方法。
【請求項２５】
前記ｋ値が２であれば、前記穿孔のための特定したマスクパターンは３、７、８、９、１０、１１、１２、１３、１４、１５、１６、１７、１８、１９、２０、２１、２２、２３、２４、２５、２６、２７、２８、２９、３０、３１である請求項２２記載の方法。 
【請求項２６】
前記１０-ｋ値が８であれば、前記穿孔のための特定したマスクパターンは７、１３、１５、２０、２５、３０である請求項２５記載の方法。
【請求項２７】
前記ｋ値が３であれば、前記穿孔のための特定したマスクパターンは７、８、１１、１２、１３、１４、１５、１６、１７、１８、１９、２０、２１、２２、２３、２４、２５、２６、２７、２８、２９、３０、３１である請求項２２記載の方法。
【請求項２８】
前記１０-ｋ値が７であれば、前記穿孔のための特定したマスクパターンは３、８、９、１２、１６、１８、２３、２４、３０である請求項２７記載の方法。
【請求項２９】
前記ｋ値が４であれば、前記穿孔のための特定したマスクパターンは０、１、２、１５、１６、１７、１８、１９、２０、２１、２２、２３、２４、２５、２６、２７、２８、２９、３０、３１である請求項２２記載の方法。
【請求項３０】
前記１０-ｋ値が６であれば、前記穿孔のための特定したマスクパターンは１０、１２、１３、１４、１９、２０、２１、２３、２４、２７、２８、３１である請求項２９記載の方法。
【請求項３１】
前記ｋ値が６であれば、前記穿孔のための特定したマスクパターンは０、７、９、１１、１６、１９、２４、２５、２６、２７、２８、２９、３０、３１である請求項２２記載の方法。
【請求項３２】
前記１０-ｋ値が４であれば、前記穿孔のための特定したマスクパターンは０、１、２、１７、１８、１９、２０、２１、２２、２３、２４、２５、２６、２７、２８、２９、３０、３１である請求項３１記載の方法。
【請求項３３】
前記ｋ値が７であれば、前記穿孔のための特定したマスクパターンは０、１、２、３、４、５、７、１２、１８、２１、２４である請求項２２記載の方法。
【請求項３４】
前記１０-ｋ値が３であれば、前記穿孔のための特定したマスクパターンは７、８、９、１０、１５、１６、１７、１８、１９、２０、２１、２２、２３、２４、２５、２６、２７、２８、２９、３０、３１である請求項３３記載の方法。
【請求項３５】
前記ｋ値が８であれば、前記穿孔のための特定したマスクパターンは１、７、１３、１５、２０、２５、３０、３１である請求項２２記載の方法。
【請求項３６】
前記１０-ｋ値が２であれば、前記穿孔のための特定したマスクパターンは３、７、１０、１１、１２、１３、１４、１５、１６、１７、１８、１９、２０、２１、２３、２４、２５、２６、２７、２８、２９、３０、３１である請求項３５記載の方法。
【請求項３７】
前記ｋ値が９であれば、前記穿孔のための特定したマスクパターンは０、２、８、１９、２０である請求項２２記載の方法。
【請求項３８】
前記１０-ｋ値が１であれば、前記穿孔のための特定したマスクパターンは１、３、５、７、９、１０、１１、１２、１３、１４、１５、１６、１７、１８、１９、２０、２１、２２、２３、２４、２５、２６、２７、２８、２９、３０、３１である請求項３７記載の方法。
【請求項３９】
移動通信システムでｋビットと１０-ｋビットに分離して入力される２つの伝送形式組合表示(ＴＦＣＩ)ビットを符号化する装置において、
前記入力するｋビットに対して３２ビットに符号化して第１符号化ビットを発生し、前記第１符号化ビットを前記ｋ値に対応して特定したマスクパターンにより穿孔して３ｋビットを出力する第１符号器と、
前記入力する１０-ｋビットに対して３２ビットに符号化して第２符号化ビットを発生し、前記第２符号化ビットを前記１０-ｋ値に対応して特定したマスクパターンにより穿孔して３(１０-ｋ)＋２ビット列を出力する第２符号器とを含むことを特徴とする装置。
【請求項４０】
前記ｋ値は１〜１０である請求項３９記載の装置。
【請求項４１】
前記ｋ値が１であれば、前記穿孔のための特定したマスクパターンは１、３、５、６、７、８、９、１０、１１、１２、１３、１４、１５、１６、１７、１８、１９、２０、２１、２２、２３、２４、２５、２６、２７、２８、２９、３０、３１である請求項４０記載の装置。
【請求項４２】
前記１０-ｋ値が９であれば、前記穿孔のための特定したマスクパターンは６、１０、１１である請求項４１記載の装置。
【請求項４３】
前記ｋ値が２であれば、前記穿孔のための特定したマスクパターンは３、７、８、９、１０、１１、１２、１３、１４、１５、１６、１７、１８、１９、２０、２１、２２、２３、２４、２５、２６、２７、２８、２９、３０、３１である請求項４０記載の装置。 
【請求項４４】
前記１０-ｋ値が８であれば、前記穿孔のための特定したマスクパターンは７、１３、１５、２０、２５、３０である請求項４３記載の装置。
【請求項４５】
前記ｋ値が３であれば、前記穿孔のための特定したマスクパターンは７、８、１１、１２、１３、１４、１５、１６、１７、１８、１９、２０、２１、２２、２３、２４、２５、２６、２７、２８、２９、３０、３１である請求項４０記載の装置。
【請求項４６】
前記１０-ｋ値が７であれば、前記穿孔のための特定したマスクパターンは３、８、９、１２、１６、１８、２３、２４、３０である請求項４５記載の装置。
【請求項４７】
前記ｋ値が４であれば、前記穿孔のための特定したマスクパターンは０、１、２、１５、１６、１７、１８、１９、２０、２１、２２、２３、２４、２５、２６、２７、２８、２９、３０、３１である請求項４０記載の装置。
【請求項４８】
前記１０-ｋ値が６であれば、前記穿孔のための特定したマスクパターンは１０、１２、１３、１４、１９、２０、２１、２３、２４、２７、２８、３１である請求項４７記載の装置。
【請求項４９】
前記ｋ値が６であれば、前記穿孔のための特定したマスクパターンは０、７、９、１１、１６、１９、２４、２５、２６、２７、２８、２９、３０、３１である請求項４０記載の装置。
【請求項５０】
前記１０-ｋ値が４であれば、前記穿孔のための特定したマスクパターンは０、１、２、１７、１８、１９、２０、２１、２２、２３、２４、２５、２６、２７、２８、２９、３０、３１である請求項４９記載の装置。
【請求項５１】
前記ｋ値が７であれば、前記穿孔のための特定したマスクパターンは０、１、２、３、４、５、７、１２、１８、２１、２４である請求項４０記載の装置。
【請求項５２】
前記１０-ｋ値が３であれば、前記穿孔のための特定したマスクパターンは７、８、９、１０、１５、１６、１７、１８、１９、２０、２１、２２、２３、２４、２５、２６、２７、２８、２９、３０、３１である請求項５１記載の装置。
【請求項５３】
前記ｋ値が８であれば、前記穿孔のための特定したマスクパターンは１、７、１３、１５、２０、２５、３０、３１である請求項４０記載の装置。
【請求項５４】
前記１０-ｋ値が２であれば、前記穿孔のための特定したマスクパターンは３、７、１０、１１、１２、１３、１４、１５、１６、１７、１８、１９、２０、２１、２２、２３、２４、２５、２６、２７、２８、２９、３０、３１である請求項５３記載の装置。
【請求項５５】
前記ｋ値が９であれば、前記穿孔のための特定したマスクパターンは０、２、８、１９、２０である請求項４０記載の装置。
【請求項５６】
前記１０-ｋ値が１であれば、前記穿孔のための特定したマスクパターンは１、３、５、７、９、１０、１１、１２、１３、１４、１５、１６、１７、１８、１９、２０、２１、２２、２３、２４、２５、２６、２７、２８、２９、３０、３１である請求項５５記載の装置。